(57)【要約】【課題】複数の納品庫を有するストッカにおいて、音声ユニットの不具合の発生をより抑制する。【解決手段】本開示のストッカは、物品を収容する納品庫を有し屋外に設置可能なストッカであって、音声穴と、音声穴よりも上部に配設され音声穴を介した音を入力及び／又は出力する音声部と、音声穴側に傾斜した傾斜面を有する傾斜部材とを有する音声ユニット、を備えたものである。【選択図】図１
2019051072.tif 000002
【特許請求の範囲】
【請求項１】
物品を収容する納品庫を有し屋外に設置可能なストッカであって、
音声穴と、前記音声穴よりも上部に配設され前記音声穴を介した音を入力及び／又は出力する音声部と、前記音声穴側に傾斜した傾斜面を有する傾斜部材とを有する音声ユニット、を備えたストッカ。
【請求項２】
前記音声部は、下方に向けて配設されている、請求項１に記載のストッカ。
【請求項３】
前記音声部は、スピーカである、請求項１又は２に記載のストッカ。
【請求項４】
前記傾斜部材は、平面及び／又は曲面の前記傾斜面を有する、請求項１〜３のいずれか１項に記載のストッカ。
【請求項５】
前記傾斜部材は、前記音声部の下方全面に配設されている、請求項１〜４のいずれか１項に記載のストッカ。
【請求項６】
屋外に設置可能な装置内部に配設される音声ユニットであって、
音声穴と、
前記音声穴よりも上部に配設され、前記音声穴を介した音を入力及び／又は出力する音声部と、
前記音声穴側に傾斜した傾斜面を有する傾斜部材と、
を備えた音声ユニット。
【発明の詳細な説明】
【技術分野】
【０００１】
本明細書は、ストッカ及び音声ユニットを開示する。
【背景技術】
【０００２】
従来、荷物の受け渡し等に用いる受函への投函時に作動するスイッチにより、予め録音した伝言内容を再生するものが提案されている（例えば、特許文献１参照）。この受函では、録音音声が再生されるから、伝言内容を的確に伝えることができるとしている。
【先行技術文献】
【特許文献】
【０００３】
【特許文献１】特開平１−２８８２１３号公報
【発明の概要】
【発明が解決しようとする課題】
【０００４】
特許文献１に記載の受函などでは、音声の十分な入出力や聞き取りやすさを考慮すると音声穴を形成することが求められる。この特許文献１の受函では、音声穴が形成された外壁にスピーカやマイクがそのまま取り付けられていたため、例えば、屋外では雨水が音声穴から浸入することがあり、スピーカが濡れるなど耐久性に問題があった。また、音声穴から異物が侵入したり異物が挿入されたりするとスピーカを破損するおそれが高かった。
【０００５】
本開示は、このような課題を解決するためになされたものであり、不具合の発生をより抑制することができるストッカ及び音声ユニットを提供することを主目的とする。
【課題を解決するための手段】
【０００６】
本明細書で開示する発明は、上述の主目的を達成するために以下の手段を採った。
【０００７】
本明細書で開示するストッカは、
物品を収容する納品庫を有し屋外に設置可能なストッカであって、
音声穴と、前記音声穴よりも上部に配設され前記音声穴を介した音を入力及び／又は出力する音声部と、前記音声穴側に傾斜した傾斜面を有する傾斜部材とを有する音声ユニット、を備えたものである。
【０００８】
このストッカでは、音声穴から雨水が入る場合であっても、音声穴よりも上部に配置された音声部へ悪影響を与えることがより抑制される。また、音声穴から雨水が入る場合であっても、音声穴側に傾斜した傾斜面を伝ってこの雨水が音声穴から外部へ排出されるものとすることができる。更に、このストッカでは、音声穴へ異物が侵入した場合や、異物が外部から挿入された場合であっても、音声穴よりも上部に音声部が配置されているため、異物が直接音声部へ到達することがより抑制される。したがって、このストッカでは、不具合の発生をより抑制することができる。このため、このストッカでは、より長期間に亘って使用することができる。
【０００９】
本開示のストッカにおいて、前記音声部は、下方に向けて配設されているものとしてもよい。このストッカでは、例えば、音声部が傾いて配設されたものに比して音声穴から音声部に異物や雨水などが到達しにくいため、不具合の発生を更に抑制することができる。ここで、「下方に向けて」とは、音の出力方向及び／又は音の入力方向が下方を向いていることをいう。このストッカにおいて、前記音声部は、鉛直下方を向けて配設されているものとしてもよい。
【００１０】
本開示のストッカにおいて、前記音声部は、スピーカであるものとしてもよい。ストッカでは、操作方法などを音声で伝えることが好ましく、この音声ユニットを利用する意義が高い。
【００１１】
本開示のストッカにおいて、前記傾斜部材は、平面及び／又は曲面の前記傾斜面を有するものとしてもよい。平面の傾斜部材では、構造をより簡素にすることができる。あるいは、曲面の傾斜部材では、傾斜の変化により水の排出や音の反射などを制御することができる。
【００１２】
本開示のストッカにおいて、前記傾斜部材は、前記音声部の下方全面に配設されているものとしてもよい。このストッカでは、水の排出や音の反射などを良好に行うことができる。
【００１３】
本開示の音声ユニットは、
屋外に設置可能な装置内部に配設される音声ユニットであって、
音声穴と、
前記音声穴よりも上部に配設され、前記音声穴を介した音を入力及び／又は出力する音声部と、
前記音声穴側に傾斜した傾斜面を有する傾斜部材と、
を備えたものである。
【００１４】
この音声ユニットでは、上述したストッカと同様に、音声部へ悪影響を与えることがより抑制されるため、不具合の発生をより抑制することができる。このため、この音声ユニットでは、より長期間に亘って使用することができる。なお、音声ユニットにおいて、上述したストッカの種々の態様を採用してもよいし、また、上述したストッカの各機能を実現するような構成を追加してもよい。
【図面の簡単な説明】
【００１５】
【図１】ストッカシステム１０の一例を表す概略説明図。
【図２】制御ユニット３０の正面図。
【図３】音声ユニット４０の斜視図。
【図４】音声ユニット４０の説明図。
【図５】別の音声ユニット４０Ｂの説明図。
【図６】別の音声ユニット４０Ｃの説明図。
【発明を実施するための形態】
【００１６】
本開示の実施形態を図面を用いて説明する。図１は、ストッカシステム１０の一例を表す概略説明図である。図２は、制御ユニット３０の正面図である。図３は、音声ユニット４０の斜視図である。図４は、音声ユニット４０の説明図であり、図４（ａ）が正面図、図４（ｂ）が図４（ａ）のＡ−Ａ断面図である。なお、本実施形態において、左右方向、前後方向及び上下方向は、各図に示した通りとする。
【００１７】
ストッカシステム１０は、１又は２以上のストッカ１１と、ストッカ管理装置１２とを備えている。なお、図１では、ストッカ１１を１つだけ示した。ストッカ管理装置１２は、ネットワーク１３を介してストッカ１１と情報のやりとりを行うサーバとして構成されている。このストッカ管理装置１２は、ストッカ１１の利用状況などを管理する。
【００１８】
ストッカ１１は、図１に示すように、物品を納入可能な箱状の複数の納品庫２０と、各納品庫２０への物品の納入や取り出しに関する各種操作を受け付けたり各納品庫２０の施錠や解錠に関する各種処理を行ったりする制御ユニット３０とを備える。ストッカ１１は、上下に複数個（図１では４個）ずつの納品庫２０が左右に複数列（図１では５列）並んで配置されており、左端の列の１の納品庫２０に代えて制御ユニット３０が配置されている。このストッカ１１は、オフィスやコンビニエンスストア、駅、学校、マンション、ショッピングセンタなど様々な場所に設置され、屋内だけでなく屋外にも設置可能に構成されている。ストッカ１１は、いずれかの納品庫２０を配達先として配達者（納入者）により物品が納入された後に、受取者がこの納品庫２０から物品を取り出して物品を受け取ることで、配達者により配達される物品の受け渡しに用いられる。
【００１９】
納品庫２０は、図１に示すように、直方体状の本体を有しており、この本体に開閉可能に取り付けられる矩形板状の扉２１を備えている。納品庫２０は、扉２１を開いて本体内の空間に物品を納入可能となっている。
【００２０】
制御ユニット３０は、図１に示すように、各納品庫２０と同じサイズの直方体状の本体３０ａと、本体３０ａの前面を覆い各種機器が取り付けられる前面パネル３１と、本体３０ａ内の空間に配置される制御部３２とを備える。前面パネル３１に配設される各種機器としては、図１，図２に示すように、板面中央に配置される長方形状のタッチパネル３３と、タッチパネル３３の右側に配置されるカードリーダ３４、コードリーダ３５および受領印モジュール３６と、タッチパネル３３の左側に配置されるカメラモジュール３７、シリンダ錠３８、人感センサ３９及び音声ユニット４０などがある。この前面パネル３１には、音声ユニット４０からの音声を出力するための出力孔３１ａが形成されている。
【００２１】
タッチパネル３３は、タッチ操作が可能な長方形状の画面を有している。このタッチパネル３３は、例えば、物品の納入や取り出しに関する操作案内などを表示する案内画像を画面の上部に表示すると共に、物品の納入や取り出しに関する入力操作などを受け付ける操作画像を画面の下部に表示する。
【００２２】
カードリーダ３４、コードリーダ３５および受領印モジュール３６は、前面パネル３１におけるタッチパネル３３の右側に上方から下方に向かってこの順で配置されている。カードリーダ３４は、例えば物品の配達者や受取者の識別情報などが登録されたＩＣカードなどを読み取るものである。コードリーダ３５は、例えば物品の配達伝票や受取者の携帯端末などに示された各種コードを読み取るものである。受領印モジュール３６は、例えば物品の配達伝票などに受領印を押印可能なスタンプユニットである。なお、制御部３２は、配達者による納品庫２０への納品が完了した際に受領印モジュール３６に配達伝票の挿入を促す案内画像をタッチパネル３３に表示し、配達伝票が挿入されると受領印を押印するように受領印モジュール３６を制御する。
【００２３】
カメラモジュール３７、音声ユニット４０、シリンダ錠３８及び人感センサ３９は、前面パネル３１におけるタッチパネル３３の左側に上方から下方に向かってこの順で配置されている。カメラモジュール３７は、ストッカ１１の前方の所定範囲を撮像可能に配置され、配達者や受取者などの被写体を含む画像を撮像する。シリンダ錠３８は、ストッカ１１の管理者などにより鍵穴に挿入された鍵の操作により前面パネル３１を解錠したり施錠したりする。前面パネル３１は、本体３０ａに開閉可能に取り付けられており、シリンダ錠３８の解錠により開操作が可能となる。人感センサ３９は、利用者の有無を検知するセンサである。
【００２４】
音声ユニット４０は、図３、４に示すように、物品の納入や取り出しに関する操作案内などを音声穴４２を介して音声で出力するユニットである。音声ユニット４０は、雨水にさらされる前面パネル３１に配設され、本体３０ａの内部に収容されている。音声ユニット４０は、筐体４４と、音声部４５と、支持柱４９と、天板５０とを備えている。筐体４４は、前方に配置される前面板４１と、側方に配置される側面板４３と、下部から後方に配置される傾斜部材４７と、上方に配置される上面板４８とを有する。筐体４４は、これらの板部材が隙間なく接合され、あるいは一体成形されており、開口された部位以外からは水などが内部空間へ入りにくい構造となっている。図３に示すように、筐体４４の前面にある前面板４１には、その中央から下部に、傾斜部材４７で反射した音を外部に出力する開口部である音声穴４２が形成されている。音声ユニット４０は、前面パネル３１に形成された出力孔３１ａの後方に音声穴４２が配置されるよう、前面パネル３１に配設されている。上面板４８には、その中央に、外部と内部空間とを連通する通過孔５１が形成されている（図４（ｂ）参照）。この上面板４８の上面には、音声部４５が配設されている。音声部４５は、音声穴４２よりも上部に配設され（図４（ａ）の一点鎖線参照）音声穴４２を介して音を外部に出力するスピーカである。この音声部４５は、音の出力方向が下方を向くよう、上面板４８の上部に鉛直下方に向けて配設されている。傾斜部材４７は、音声穴４２側に傾斜した傾斜面４６を有する部材である。なお、「音声穴４２側に傾斜する」とは、音声穴４２側に向かって下り坂になるよう傾斜していることをいう。傾斜部材４７は、平面である傾斜面４６を有している。この傾斜部材４７は、傾斜面４６の傾斜角θが４５°である例を示しているが（図４参照）、この傾斜面４６の傾斜角θは、例えば、１０°〜８０°、より好ましくは２０°〜６０°など、音声部４５や音声穴４２の大きさなどに応じて適宜変更すればよい。また、傾斜部材４７は、音声部４５の下方全面に亘って配設されている。この傾斜部材４７は、その一端が音声穴４２の下端側に位置しており、筐体４４では、音声穴４２から入った水などは傾斜面４６を伝って下端側の音声穴４２から排出可能となっている。なお、傾斜部材４７の端部は、最下端の音声穴４２のより近傍に位置する方が、水などの排出が行いやすく好ましい。支持柱４９は、上面板４８の四隅に固定され、天板５０を支持する部材である。天板５０は、支持柱４９に支持され、音声部４５を固定すると共に保護する部材である。このように構成された音声ユニット４０では、図４（ｂ）に示すように、音声部４５から出力された音声が通過孔５１を介して筐体４４へ到達し、傾斜部材４７で反射して音声穴４２を介して外部へ効率よく出力される（図中点線矢印参照）。
【００２５】
ここで、本実施形態の構成要素と本開示の構成要素との対応関係を明らかにする。本実施形態の納品庫２０が本開示の納品庫に相当し、ストッカ１１がストッカに相当し、音声ユニット４０が音声ユニットに相当し、音声穴４２が音声穴に相当し、音声部４５が音声部に相当し、傾斜面４６が傾斜面に相当し、傾斜部材４７が傾斜部材に相当する。
【００２６】
以上説明した本実施形態のストッカ１１の音声ユニット４０では、音声穴４２から雨水が入る場合であっても、音声穴４２よりも上部に音声部４５が配置されているため、音声部４５へ悪影響を与えることがより抑制される。また、音声穴４２から雨水が入る場合であっても、音声穴４２側に傾斜した傾斜面４６を伝ってこの雨水が音声穴４２から外部へ排出されるものとすることができる。更に、この音声ユニット４０では、音声穴４２へ異物が侵入した場合や、異物（例えば棒状のもの）が外部から挿入された場合であっても、音声穴４２よりも上部に音声部４５が配置されているため、異物が直接音声部４５へ到達することがより抑制される。したがって、このストッカ１１では、音声ユニット４０の不具合の発生をより抑制することができる。このため、このストッカ１１では、より長期間に亘って音声ユニット４０を使用することができる。また、ストッカ１１において、音声部４５は、下方に向けて配設されているため、例えば、音声部が傾いて配設されたものに比して音声穴から音声部に異物や雨水などが到達しにくく、不具合の発生を更に抑制することができる。更に、ストッカ１１では、操作方法などを音声で伝えることが好ましいため、音声部４５がスピーカであるこの音声ユニット４０をストッカ１１に適用する意義が高い。更にまた、傾斜部材４７は、平面の傾斜面４６を有するため、構造をより簡素にすることができる。そしてまた、傾斜部材４７は、音声部４５の下方全面に配設されているため、水の排出や音の反射などを良好に行うことができる。
【００２７】
なお、本開示は上述した実施形態に何ら限定されることはなく、本開示の技術的範囲に属する限り種々の態様で実施し得ることはいうまでもない。
【００２８】
上述した実施形態では、音声部４５は、鉛直下方を向けて配設されているものとしたが、音声部４５が音声穴４２よりも上部に配設されるものとすれば特にこれに限定されず、音声部４５が傾きをもって筐体４４に配設されているものとしてもよい。このストッカ１１においても、音声ユニット４０の不具合の発生をより抑制することができる。
【００２９】
上述した実施形態では、音声部４５は音声を出力するスピーカであるものとしたが、特にこれに限定されず、例えば音声部４５は音声を入力するマイクであるものとしてもよい。この音声ユニットにおいても、音声部４５が音声穴４２より上方に配置され、傾斜部材４７を備えるから、上述した実施形態と同様に、音声ユニット４０の不具合の発生をより抑制することができる。このストッカ１１は、スピーカ及びマイクの少なくとも一方を有する音声ユニットを備えるものとしてもよい。このとき、ストッカ１１は、スピーカを有する音声ユニットとマイクを有する音声ユニットとを備えるものとしてもよいし、筐体４４にスピーカとマイクとを配設した音声ユニットを備えるものとしてもよい。スピーカとマイクを備えたストッカ１１では、例えば、ストッカ管理装置１２などで作業する管理者と、ストッカ１１の前にいる利用者とが音声による情報のやりとりを行うことができる。
【００３０】
上述した実施形態では、平面の傾斜面４６を有する傾斜部材４７を備えた音声ユニット４０について説明したが、傾斜面４６は特に平面に限定されない。図５は、別の音声ユニット４０Ｂの説明図である。また、図６は、別の音声ユニット４０Ｃの説明図である。音声ユニット４０Ｂは、図５に示すように、全面を曲面とする傾斜面４６Ｂが形成された傾斜部材４７Ｂを備えている。また、音声ユニット４０Ｃは、一部に曲面と、一部に平面とを有する傾斜面４６Ｃが形成された傾斜部材４７Ｃを備えている。このような傾斜部材を備えた音声ユニット４０Ｂ，４０Ｃにおいても、上述した実施形態と同様に、音声ユニット４０の不具合の発生をより抑制することができる。また、曲面の傾斜面４６を有する傾斜部材では、傾斜の変化により水の排出や音の反射などを制御することができる。
【００３１】
上述した実施形態では、ストッカ１１が複数の納品庫２０を備えるものとしたが、これに限られず、戸建て住宅に設けられるものなど１つの納品庫２０を備えるものとしてもよい。また、上述した実施形態では、ストッカシステム１０は、ネットワーク１３に接続されたストッカ管理装置１２を有するものとしたが、ストッカ管理装置１２を省略してもよいし、ストッカ管理装置１２の機能を制御部３２に備えるものとしてもよい。
【００３２】
上述した実施形態では、ストッカ１１に音声ユニット４０を備えたものとして説明したが、特にストッカ１１に限定されず、屋外に設置可能な装置内部に音声ユニット４０を備えたものとしてもよい。このような装置としては、例えば、自動販売機、コインパーキングの受付装置や支払い装置などが挙げられる。
【産業上の利用可能性】
【００３３】
本開示のストッカ及び音声ユニットは、商品をストッカに配送する商品流通システムの技術分野に利用可能である。
【符号の説明】
【００３４】
１０  ストッカシステム、１１  ストッカ、１２  ストッカ管理装置、１３  ネットワーク、２０  納品庫、２１  扉、３０  制御ユニット、３０ａ  本体、３１  前面パネル、３１ａ  出力孔、３２  制御部、３３  タッチパネル、３４  カードリーダ、３５  コードリーダ、３６  受領印モジュール、３７  カメラモジュール、３８  シリンダ錠、３９  人感センサ、４０  音声ユニット、４１  前面板、４２  音声穴、４３  側面板、４４  筐体、４５  音声部、４６，４６Ｂ，４６Ｃ  傾斜面、４７，４７Ｂ，４７Ｃ  傾斜部材、４８  上面板、４９  支持柱、５０  天板、５１  通過孔。
【図１】
2019051072.tif 000003
【図２】
2019051072.tif 000004
【図３】
2019051072.tif 000005
【図４】
2019051072.tif 000006
【図５】
2019051072.tif 000007
【図６】
2019051072.tif 000008